(57)【要約】【課題】アクセスをより高速化する。【解決手段】ｎＭＯＳトランジスタＱＮ１のゲートとｐＭＯＳトランジスタＱＰ１のゲートがポリシリコン配線Ｇ１０により構成され、ｎＭＯＳトランジスタＱＮ２のゲートとｐＭＯＳトランジスタＱＰ２のゲートがポリシリコン配線Ｇ２０により構成され、ｎＭＯＳトランジスタＱＮ３及びＱＮ４のゲートがそれぞれポリシリコン配線Ｗ１０及びＷ２０により構成され、ポリシリコン配線Ｇ１０とポリシリコン配線Ｗ２０がｎＭＯＳ領域１３ＡからｎＭＯＳ領域１３Ｂへ延びる第１の方向に並べて配置され、ポリシリコン配線Ｇ２０とポリシリコン配線Ｗ１０が第１の方向に並べて配置されているので、第１の方向に対して垂直な第２の方向に延在するビット線の長さがトランジスタ２個分となる。【選択図】図２
2006179964.tif 000002
【特許請求の範囲】
【請求項１】
第１及び第３のｎＭＯＳトランジスタを有する第１のｎＭＯＳ領域と、
第２及び第４のｎＭＯＳトランジスタを有する第２のｎＭＯＳ領域と、
前記第１のｎＭＯＳ領域と前記第２のｎＭＯＳ領域の間に配置され、第１及び第２のｐＭＯＳトランジスタを有するｐＭＯＳ領域と、
前記第１のｎＭＯＳ領域と前記ｐＭＯＳ領域の間、及び前記第２のｎＭＯＳ領域と前記ｐＭＯＳ領域の間に配置された素子分離領域と、
前記第１のｎＭＯＳ領域から前記第２のｎＭＯＳ領域へ延びる第１の方向に対して垂直な第２の方向に延在する第１及び第２のビット線と、
前記第１の方向に延在するワード線と、
を有するＳＲＡＭセルを備えた半導体装置であって、
前記第１及び第２のｎＭＯＳトランジスタと前記第１及び第２のｐＭＯＳトランジスタはデータを格納するためのフリップフロップを構成し、
前記第３のｎＭＯＳトランジスタは前記第１のビット線と前記フリップフロップの間を接続する第１のトランスファーゲートを構成し、
前記第４のｎＭＯＳトランジスタは前記第２のビット線と前記フリップフロップの間を接続する第２のトランスファーゲートを構成し、
前記第３及び第４のｎＭＯＳトランジスタのゲートは前記ワード線に接続され、
前記第１のｎＭＯＳトランジスタのゲートと前記第１のｐＭＯＳトランジスタのゲートは第１のポリシリコン配線により構成され、
前記第２のｎＭＯＳトランジスタのゲートと前記第２のｐＭＯＳトランジスタのゲートは第２のポリシリコン配線により構成され、
前記第３のｎＭＯＳトランジスタのゲートは第３のポリシリコン配線により構成され、
前記第４のｎＭＯＳトランジスタのゲートは第４のポリシリコン配線により構成され、
前記第１のポリシリコン配線と前記第４のポリシリコン配線は前記第１の方向に並べて配置され、
前記第２のポリシリコン配線と前記第３のポリシリコン配線は前記第１の方向に並べて配置されたことを特徴とする半導体装置。
【請求項２】
請求項１記載の半導体装置であって、
前記第１乃至第４のポリシリコン配線は、前記第１のポリシリコン配線及び前記第４のポリシリコン配線からなる第１の配線群と、前記第２のポリシリコン配線及び前記第３のポリシリコン配線からなる第２の配線群とから構成され、
前記第１の配線群と前記第２の配線群は前記第２の方向に並べて配置されたことを特徴とする半導体装置。
【請求項３】
請求項１又は２記載の半導体装置であって、
前記第１のポリシリコン配線及び前記第４のポリシリコン配線はそれぞれ前記第１の方向に延びるように配置され、
前記第２のポリシリコン配線及び前記第３のポリシリコン配線はそれぞれ前記第１の方向に延びるように配置されたことを特徴とする半導体装置。
【請求項４】
請求項１乃至３のいずれか一項に記載の半導体装置であって、
前記第１のｐＭＯＳトランジスタと前記第１のｎＭＯＳトランジスタが電源電位供給線と基準電位供給線の間に互いに直列に接続され、
前記第２のｐＭＯＳトランジスタと前記第２のｎＭＯＳトランジスタが前記電源電位供給線と前記基準電位供給線の間に互いに直列に接続され、
前記第３のｎＭＯＳトランジスタは前記第１のビット線と前記第１のｎＭＯＳトランジスタのドレインの間に接続され、前記第４のｎＭＯＳトランジスタは前記第２のビット線と前記第２のｎＭＯＳトランジスタのドレインの間に接続され、
前記第１のｐＭＯＳトランジスタのゲートは前記第２のｎＭＯＳトランジスタのドレインに接続され、前記第２のｐＭＯＳトランジスタのゲートは前記第１のｎＭＯＳトランジスタのドレインに接続されたことを特徴とする半導体装置。
【請求項５】
請求項４記載の半導体装置であって、
前記電源電位供給線及び前記基準電位供給線は前記第２の方向に延在し、
前記電源電位供給線は前記第１のビット線と前記第２のビット線の間に配置され、
前記基準電位供給線は前記第１及び第２のビット線の前記電源電位供給線とは反対側に配置されたことを特徴とする半導体装置。
【請求項６】
請求項１乃至５のいずれか一項に記載の半導体装置であって、
前記第１及び第４のｎＭＯＳトランジスタ、並びに前記第１のｐＭＯＳトランジスタはそれぞれ、前記第１及び第２のｎＭＯＳ領域、並びに前記ｐＭＯＳ領域の、前記第２の方向の第１端側の領域に配置され、
前記第３及び第２のｎＭＯＳトランジスタ、並びに前記第２のｐＭＯＳトランジスタはそれぞれ、前記第１及び第２のｎＭＯＳ領域、並びに前記ｐＭＯＳ領域の、前記第２の方向の第２端側の領域に配置されたことを特徴とする半導体装置。
【請求項７】
請求項１乃至６のいずれか一項に記載の半導体装置であって、
前記第１及び第３のｎＭＯＳトランジスタは半導体基板上の共通領域に、前記第２の方向に並べて配置され、
前記第２及び第４のｎＭＯＳトランジスタは前記半導体基板上の共通領域に、前記第２の方向に並べて配置されたことを特徴とする半導体装置。
【請求項８】
請求項１乃至７のいずか一項に記載の半導体装置であって、
前記第１のｐＭＯＳトランジスタは前記ｐＭＯＳ領域内で前記第１のｎＭＯＳ領域の近傍に位置する第１のｐＭＯＳ領域に配置され、
前記第２のｐＭＯＳトランジスタは前記ｐＭＯＳ領域内で前記第２のｎＭＯＳ領域の近傍に位置する第２のｐＭＯＳ領域に配置されることを特徴とする半導体装置。
【請求項９】
請求項１乃至８のいずれか一項に記載の半導体装置であって、
前記第１のポリシリコン配線は前記第２のｐＭＯＳトランジスタのドレインとコンタクトホールを介して接続され、
前記第２のポリシリコン配線は前記第１のｐＭＯＳトランジスタのドレインとコンタクトホールを介して接続されたことを特徴とする半導体装置。
【請求項１０】
請求項１乃至９のいずれか一項に記載の半導体装置であって、
前記ＳＲＡＭセルの外形は矩形であることを特徴とする半導体装置。
【請求項１１】
請求項１乃至１０のいずれか一項に記載の半導体装置であって、
前記ＳＲＡＭセルのパターンレイアウトは前記ＳＲＡＭセルの中心点に対して対称であることを特徴とする半導体装置。
【請求項１２】
請求項１０記載の半導体装置であって、
前記第１の方向は前記ＳＲＡＭセルの矩形の長辺に沿った方向であり、
前記第２の方向は前記ＳＲＡＭセルの矩形の短辺に沿った方向であることを特徴とする半導体装置。
【請求項１３】
請求項１乃至１２のいずれか一項に記載の半導体装置であって、
前記ＳＲＡＭセルはマイクロプロセッサのためのキャッシュメモリを構成することを特徴とする半導体装置。
【請求項１４】
格子状に配置された複数のＳＲＡＭセルを有するメモリセルアレイと、
前記メモリセルアレイに接続され、前記メモリセルアレイに対してデータの書き込み及び読み出しの動作を行う周辺回路と、
を備えた半導体装置であって、前記複数のＳＲＡＭセルの各々は、
第１及び第３のｎＭＯＳトランジスタを有する第１のｎＭＯＳ領域と、
第２及び第４のｎＭＯＳトランジスタを有する第２のｎＭＯＳ領域と、
前記第１のｎＭＯＳ領域と前記第２のｎＭＯＳ領域の間に配置され、第１及び第２のｐＭＯＳトランジスタを有するｐＭＯＳ領域と、
前記第１のｎＭＯＳ領域と前記ｐＭＯＳ領域の間、及び前記第２のｎＭＯＳ領域と前記ｐＭＯＳ領域の間に配置された素子分離領域と、
前記第１のｎＭＯＳ領域から前記第２のｎＭＯＳ領域へ延びる第１の方向に対して垂直な第２の方向に延在する第１及び第２のビット線と、
前記第１の方向に延在するワード線と、
を有し、更に
前記第１及び第２のｎＭＯＳトランジスタと前記第１及び第２のｐＭＯＳトランジスタはデータを格納するためのフリップフロップを構成し、
前記第３のｎＭＯＳトランジスタは前記第１のビット線と前記フリップフロップの間を接続する第１のトランスファーゲートを構成し、
前記第４のｎＭＯＳトランジスタは前記第２のビット線と前記フリップフロップの間を接続する第２のトランスファーゲートを構成し、
前記第３及び第４のｎＭＯＳトランジスタのゲートは前記ワード線に接続され、
前記第１のｎＭＯＳトランジスタのゲートと前記第１のｐＭＯＳトランジスタのゲートは第１のポリシリコン配線により構成され、
前記第２のｎＭＯＳトランジスタのゲートと前記第２のｐＭＯＳトランジスタのゲートは第２のポリシリコン配線により構成され、
前記第３のｎＭＯＳトランジスタのゲートは第３のポリシリコン配線により構成され、
前記第４のｎＭＯＳトランジスタのゲートは第４のポリシリコン配線により構成され、
前記第１のポリシリコン配線と前記第４のポリシリコン配線は前記第１の方向に並べて配置され、
前記第２のポリシリコン配線と前記第３のポリシリコン配線は前記第１の方向に並べて配置されたことを特徴とする半導体装置。
【請求項１５】
請求項１４記載の半導体装置であって、
前記第１乃至第４のポリシリコン配線は、前記第１のポリシリコン配線及び前記第４のポリシリコン配線からなる第１の配線群と、前記第２のポリシリコン配線及び前記第３のポリシリコン配線からなる第２の配線群とから構成され、
前記第１の配線群と前記第２の配線群は前記第２の方向に並べて配置されたことを特徴とする半導体装置。
【請求項１６】
請求項１４又は１５記載の半導体装置であって、
前記第１のポリシリコン配線及び前記第４のポリシリコン配線はそれぞれ前記第１の方向に延びるように配置され、
前記第２のポリシリコン配線及び前記第３のポリシリコン配線はそれぞれ前記第１の方向に延びるように配置されたことを特徴とする半導体装置。
【請求項１７】
請求項１４乃至１６のいずれか一項に記載の半導体装置であって、
前記第１のｐＭＯＳトランジスタと前記第１のｎＭＯＳトランジスタが電源電位供給線と基準電位供給線の間に互いに直列に接続され、
前記第２のｐＭＯＳトランジスタと前記第２のｎＭＯＳトランジスタが前記電源電位供給線と前記基準電位供給線の間に互いに直列に接続され、
前記第３のｎＭＯＳトランジスタは前記第１のビット線と前記第１のｎＭＯＳトランジスタのドレインの間に接続され、前記第４のｎＭＯＳトランジスタは前記第２のビット線と前記第２のｎＭＯＳトランジスタのドレインの間に接続され、
前記第１のｐＭＯＳトランジスタのゲートは前記第２のｎＭＯＳトランジスタのドレインに接続され、前記第２のｐＭＯＳトランジスタのゲートは前記第１のｎＭＯＳトランジスタのドレインに接続されたことを特徴とする半導体装置。
【請求項１８】
請求項１７記載の半導体装置であって、
前記電源電位供給線及び前記基準電位供給線は前記第２の方向に延在し、
前記電源電位供給線は前記第１のビット線と前記第２のビット線の間に配置され、
前記基準電位供給線は前記第１及び第２のビット線の前記電源電位供給線とは反対側に配置されたことを特徴とする半導体装置。
【請求項１９】
請求項１４乃至１８記載の半導体装置であって、
前記第１及び第４のｎＭＯＳトランジスタ、並びに前記第１のｐＭＯＳトランジスタはそれぞれ、前記第１及び第２のｎＭＯＳ領域、並びに前記ｐＭＯＳ領域の、前記第２の方向の第１端側の領域に配置され、
前記第３及び第２のｎＭＯＳトランジスタ、並びに前記第２のｐＭＯＳトランジスタはそれぞれ、前記第１及び第２のｎＭＯＳ領域、並びに前記ｐＭＯＳ領域の、前記第２の方向の第２端側の領域に配置されたことを特徴とする半導体装置。
【請求項２０】
請求項１４乃至１９記載の半導体装置であって、
前記第１及び第３のｎＭＯＳトランジスタは半導体基板上の共通領域に、前記第２の方向に並べて配置され、
前記第２及び第４のｎＭＯＳトランジスタは前記半導体基板上の共通領域に、前記第２の方向に並べて配置されたことを特徴とする半導体装置。
【請求項２１】
請求項１４乃至２０のいずれか一項に記載の半導体装置であって、
前記第１のｐＭＯＳトランジスタは前記ｐＭＯＳ領域の、前記第１のｎＭＯＳ領域近傍の領域に配置され、前記第２のｐＭＯＳトランジスタは前記ｐＭＯＳ領域の、前記第２のｎＭＯＳ領域近傍の領域に配置されたことを特徴とする半導体装置。
【請求項２２】
請求項１４乃至２１のいずれか一項に記載の半導体装置であって、
前記第１のポリシリコン配線は前記第２のｐＭＯＳトランジスタのドレインとコンタクトホールを介して接続され、
前記第２のポリシリコン配線は前記第１のｐＭＯＳトランジスタのドレインとコンタクトホールを介して接続されたことを特徴とする半導体装置。
【請求項２３】
請求項１４乃至２２のいずれか一項に記載の半導体装置であって、
前記ＳＲＡＭセルの外形は矩形であることを特徴とする半導体装置。
【請求項２４】
請求項１４乃至２３のいずれか一項に記載の半導体装置であって、
前記ＳＲＡＭセルのパターンレイアウトは前記ＳＲＡＭセルの中心点に対して対称であることを特徴とする半導体装置。
【請求項２５】
請求項２３記載の半導体装置であって、
前記第１の方向は前記ＳＲＡＭセルの矩形の長辺に沿った方向であり、
前記第２の方向は前記ＳＲＡＭセルの矩形の短辺に沿った方向であることを特徴とする半導体装置。
【請求項２６】
請求項１４乃至２５のいずか一項に記載の半導体装置であって、
前記複数のＳＲＡＭセルは第１形のＳＲＡＭセルと第２形のＳＲＡＭセルを有し、
前記第１形のＳＲＡＭセルと前記第２形のＳＲＡＭセルは前記第２の方向に交互に並べて配置され、
前記第１形のＳＲＡＭセルと前記第２形のＳＲＡＭセルのパターンレイアウトは、互いに隣接する前記第１形のＳＲＡＭセルと前記第２形のＳＲＡＭセルの境界線に対して対称であることを特徴とする半導体装置。
【請求項２７】
請求項２６記載の半導体装置であって、
前記第１形のＳＲＡＭセルと前記第２形のＳＲＡＭセルが前記第１の方向に交互に並べて配置され、
所定の前記第１形のＳＲＡＭセルの前記第３のｎＭＯＳトランジスタのゲートは対応するワード線に接続され、
前記所定の第１形のＳＲＡＭセルの前記第１の方向の第１端側に隣接する前記第２形のＳＲＡＭセルの前記第４のｎＭＯＳトランジスタのゲートは、前記所定の第１形のＳＲＡＭセルの前記第３のｎＭＯＳトランジスタのゲートにゲート配線を介して接続され、
前記所定の第１形のＳＲＡＭセルの前記第４のｎＭＯＳトランジスタのゲートは前記対応するワード線に接続され、
前記所定の第１形のＳＲＡＭセルの前記第１の方向の第２端側で隣接する前記第２形のＳＲＡＭセルの前記第３のｎＭＯＳトランジスタのゲートは、前記所定の第１形のＳＲＡＭセルの前記第４のｎＭＯＳトランジスタのゲートにゲート配線を介して接続されたことを特徴とする半導体装置。
【請求項２８】
請求項１４乃至２７のいずれか一項に記載の半導体装置であって、
前記第１の方向に延在し、前記第１及び第２のビット線のいずれか一方に接続されたデータバス線を更に備えたことを特徴とする半導体装置。
【請求項２９】
請求項２８記載の半導体装置であって、
前記第２の方向に延在し、前記第１及び第２のビット線のいずれか一方と前記データバス線とを接続するデータ線を更に備えたことを特徴とする半導体装置。
【請求項３０】
請求項１４乃至２９のいずれか一項に記載の半導体装置であって、
前記複数のＳＲＡＭセルを有するメモリセルアレイはマイクロプロセッサのためのキャッシュメモリを構成することを特徴とする半導体装置。
【請求項３１】
請求項９記載の半導体装置であって、
前記第１のポリシリコン配線は前記第２のｐＭＯＳトランジスタのドレインと１つのコンタクトホールのみを介して接続され、
前記第２のポリシリコン配線は前記第１のｐＭＯＳトランジスタのドレインと１つのコンタクトホールのみを介して接続されたことを特徴とする半導体装置。
【請求項３２】
請求項９記載の半導体装置であって、
前記第１のポリシリコン配線は前記第２のｐＭＯＳトランジスタのドレインと上層の配線層を経由することなく接続され、
前記第２のポリシリコン配線は前記第１のｐＭＯＳトランジスタのドレインと上層の配線層を経由することなく接続されたことを特徴とする半導体装置。
【請求項３３】
請求項９記載の半導体装置であって、
前記第１のポリシリコン配線は前記第２のｐＭＯＳトランジスタのドレインと１つのコンタクトホールのみを介して上層の配線層を経由することなく接続され、
前記第２のポリシリコン配線は前記第１のｐＭＯＳトランジスタのドレインと１つのコンタクトホールのみを介して上層の配線層を経由することなく接続されたことを特徴とする半導体装置。
【請求項３４】
請求項８記載の半導体装置であって、
前記ｐＭＯＳ領域は前記第１のｐＭＯＳ領域と前記第２のｐＭＯＳ領域を含み、
前記第１のｐＭＯＳ領域は前記第２のｐＭＯＳ領域より前記第２のｎＭＯＳ領域から離れており、
前記第２のｐＭＯＳ領域は前記第１のｐＭＯＳ領域より前記第１のｎＭＯＳ領域から離れていることを特徴とする半導体装置。
【請求項３５】
請求項８又は３４記載の半導体装置であって、
前記第１のｐＭＯＳ領域と前記第２のｐＭＯＳ領域は前記第２のｐＭＯＳ領域内で前記第１の方向に並べて配置されたことを特徴とする半導体装置。
【発明の詳細な説明】
【技術分野】
【０００１】
本発明は、ＣＭＯＳ型ＳＲＡＭセルを備えた半導体装置に関する。
【背景技術】
【０００２】
この種のＳＲＡＭは、メモリセルがＤＲＡＭのような電荷保持型ではなくフリップフロップによる電流駆動型であるので、高速アクセスが可能であり、キャッシュメモリとして用いられているが、マイクロプロセッサの高速化に伴い、より高速化が要求されている。
【０００３】
図１０は、従来のＳＲＡＭセル１のパターン図である。図１１（Ａ）は、図１０のレイアウトパターンに対応した回路図であり、図１１（Ｂ）はこの回路の接続を分かり易くした一般的な回路図である。
【０００４】
ＳＲＡＭセル１は、ｐＭＯＳ領域２とｎＭＯＳ領域３との間に素子分離領域４が形成され、素子分離領域４に平行にワード線ＷＬ、基準電位供給線ＶＳＳ及び電源電位供給線ＶＣＣが配置されている。中心線のみで示す一対のビット線ＢＬ及び＊ＢＬは、ワード線ＷＬと直角な方向に沿って配置されている。ｐＭＯＳトランジスタＱＰ１とｎＭＯＳトランジスタＱＮ１とでＣＭＯＳインバータが形成され、ｐＭＯＳトランジスタＱＰ２とｎＭＯＳトランジスタＱＮ２とでもう１つのＣＭＯＳインバータが形成され、これらＣＭＯＳインバータがクロス接続されてフリップフロップが形成されている。
【０００５】
メタル配線Ｓ１〜Ｓ４及び電源電位供給線ＶＣＣはメタル配線第１層であり、基準電位供給線ＶＳＳはメタル配線第２層であり、ビット線ＢＬ及び＊ＢＬはメタル配線第３層である。
【０００６】
ポリシリコン配線Ｇ１は、ｐＭＯＳトランジスタＱＰ１及びｎＭＯＳトランジスタＱＮ１のゲートを含み、かつ、その一端部がコンタクトホールを通ってｐＭＯＳトランジスタＱＰ２のｐ型半導体領域Ｐ２ｄに接続されている。ポリシリコン配線Ｇ２は、ｐＭＯＳトランジスタＱＰ２及びｎＭＯＳトランジスタＱＮ２のゲートを含み、かつ、その一端部がコンタクトホールを通ってｎＭＯＳトランジスタＱＮ１のｎ型半導体領域Ｎ１ｄに接続されている。ｐＭＯＳトランジスタＱＰ１のｐ型半導体領域Ｐ１ｄとｎＭＯＳトランジスタＱＮ１のｎ型半導体領域Ｎ１ｄとは、コンタクトホールを通ってメタル配線Ｓ１で接続され、ｐＭＯＳトランジスタＱＰ２のｐ型半導体領域Ｐ２ｄとｎＭＯＳトランジスタＱＮ２のｎ型半導体領域Ｎ２ｄとは、コンタクロホールを通ってメタル配線Ｓ２で接続さている。また、ｎＭＯＳトランジスタＱＮ１のｎ型半導体領域Ｎ１ｓは、コンタクトホールを通りメタル配線Ｓ３で基準電位供給線ＶＳＳに接続され、ｎＭＯＳトランジスタＱＮ２のｎ型半導体領域Ｎ２ｓは、コンタクトホールを通りメタル配線Ｓ４で基準電位供給線ＶＳＳに接続されている。
【０００７】
ＳＲＡＭセル１に書き込まれたデータを読み出す場合には、ビット線ＢＬ及び＊ＢＬが所定電位にプリチャージされ（又はプリチャージされずに）、次にワード線ＷＬが高レベルにされてｎＭＯＳトランジスタＱＮ３及びＱＮ４がオンにされる。これにより、ビット線ＢＬとビット線＊ＢＬとの間に電位差が生じ、誤動作防止のためこれが所定値以上になった後に、不図示のセンスアンプで増幅され、データバスを介して外部に取り出される。
【０００８】
このような従来のＳＲＡＭセル１は、ｐＭＯＳ領域２とｎＭＯＳ領域３の間に素子分離領域４が形成され、素子分離領域４と直角な方向に沿ってビット線ＢＬ及び＊ＢＬが配置されているので、ＳＲＡＭセルアレイにおいてはビット線ＢＬ及び＊ＢＬが長くなり、その容量及び抵抗が大きくなるため、データ読み出し速度の向上が制限される。データの書き込み速度についても同様である。
【０００９】
そこで、下記特許文献１には、ＳＲＡＭセルにおいて、一対のワードトランジスタ（転送ゲート）のゲートラインを１本のワード線で形成し、ワード線の一方側に、第１のインバータを構成する負荷用トランジスタおよびドライバトランジスタのゲートを形成し、ワード線の他方側に、第２のインバータを構成する負荷用トランジスタおよびドライバトランジスタのゲートを形成し、ワード線をセルの略中央に配置し、ワード線と各ゲートとを概平行に配置し、一対のビット線をワード線と直角に配置した構成が開示されている。
【００１０】
この構成によれば、上記図１０の構成よりもビット線が短くなり、データ読み出し速度が向上する。
【特許文献１】特開平０７−１３０８７７号公報
【特許文献２】特開平０７−１３０８７６号公報
【特許文献３】特開平０７−０８６４３６号公報
【発明の開示】
【発明が解決しようとする課題】
【００１１】
しかしながら、一対の転送ゲートのゲートラインを１本のワード線で形成し、その一方側及び他方側にトランジスタを配置しているので、ワード線と直角な方向のサイズがトランジスタ３個分になり、ビット線をより短くすることができず、データ読み出し速度が制限される。
【００１２】
本発明の目的は、このような問題点に鑑み、アクセスをより高速化することが可能なＣＭＯＳ型ＳＲＡＭセルを備えた半導体装置を提供するとにある。
【課題を解決するための手段】
【００１３】
本発明の一態様は、第１及び第３のｎＭＯＳトランジスタを有する第１のｎＭＯＳ領域と、
第２及び第４のｎＭＯＳトランジスタを有する第２のｎＭＯＳ領域と、
前記第１のｎＭＯＳ領域と前記第２のｎＭＯＳ領域の間に配置され、第１及び第２のｐＭＯＳトランジスタを有するｐＭＯＳ領域と、
前記第１のｎＭＯＳ領域と前記ｐＭＯＳ領域の間、及び前記第２のｎＭＯＳ領域と前記ｐＭＯＳ領域の間に配置された素子分離領域と、
前記第１のｎＭＯＳ領域から前記第２のｎＭＯＳ領域へ延びる第１の方向に対して垂直な第２の方向に延在する第１及び第２のビット線と、
前記第１の方向に延在するワード線と、
を有するＳＲＡＭセルを備えた半導体装置であって、
前記第１及び第２のｎＭＯＳトランジスタと前記第１及び第２のｐＭＯＳトランジスタはデータを格納するためのフリップフロップを構成し、
前記第３のｎＭＯＳトランジスタは前記第１のビット線と前記フリップフロップの間を接続する第１のトランスファーゲートを構成し、
前記第４のｎＭＯＳトランジスタは前記第２のビット線と前記フリップフロップの間を接続する第２のトランスファーゲートを構成し、
前記第３及び第４のｎＭＯＳトランジスタのゲートは前記ワード線に接続され、
前記第１のｎＭＯＳトランジスタのゲートと前記第１のｐＭＯＳトランジスタのゲートは第１のポリシリコン配線により構成され、
前記第２のｎＭＯＳトランジスタのゲートと前記第２のｐＭＯＳトランジスタのゲートは第２のポリシリコン配線により構成され、
前記第３のｎＭＯＳトランジスタのゲートは第３のポリシリコン配線により構成され、
前記第４のｎＭＯＳトランジスタのゲートは第４のポリシリコン配線により構成され、
前記第１のポリシリコン配線と前記第４のポリシリコン配線は前記第１の方向に並べて配置され、
前記第２のポリシリコン配線と前記第３のポリシリコン配線は前記第１の方向に並べて配置されている。
【発明の効果】
【００１４】
上記態様によれば、主に、第１のｎＭＯＳトランジスタ（ＱＮ１）のゲートと第１のｐＭＯＳトランジスタ（ＱＰ１）のゲートが第１のポリシリコン配線（Ｇ１０）により構成され、第２のｎＭＯＳトランジスタ（ＱＮ２）のゲートと第２のｐＭＯＳトランジスタ（ＱＰ２）のゲートが第２のポリシリコン配線（Ｇ２０）により構成され、第３及び第４のｎＭＯＳトランジスタのゲートがそれぞれ第３及び第４のポリシリコン配線（Ｗ１０、Ｗ２０）により構成され、前記第１のポリシリコン配線（Ｇ１０）と前記第４のポリシリコン配線（Ｗ２０）が前記第１のｎＭＯＳ領域から前記第２のｎＭＯＳ領域へ延びる第１の方向に並べて配置され、前記第２のポリシリコン配線（Ｇ２０）と前記第３のポリシリコン配線（Ｗ１０）が前記第１の方向に並べて配置されているので、前記第１の方向に対して垂直な第２の方向に延在する第１及び第２のビット線の長さがトランジスタ２個分となり、従来の３個分よりも短くできるので、アクセスをより高速化することが可能となるという効果を奏する。
【００１５】
本発明の他の目的、構成及び効果は以下の説明から明らかになる。
【実施例１】
【００１６】
以下、図面に基づいて本発明の実施例１を説明する。
【００１７】
図１（Ａ）は第１形ＳＲＡＭセル１０の概略パターンを示しており、図１（Ｂ）は第２形ＳＲＡＭセル２０の概略パターンを示している。第１形ＳＲＡＭセル１０及び第２形ＳＲＡＭセル２０はいずれも、回路としては図１１（Ｂ）に示す従来回路と同一であるが、レイアウトパターンが図１０のそれと異なり、矩形の短い辺に平行に沿って一対のビット線ＢＬとビット線＊ＢＬとが配置されている。ワード線ＷＬは、ＳＲＡＭセルの長い辺に平行になっている。
【００１８】
図２〜７において、図１０及び図１１中の素子と対応する素子には、パターンの形が異なっていても、対応付けを容易にするために同一符号を付している。また、第１形ＳＲＡＭセル１０と第２形ＳＲＡＭセル２０とで対応する素子にも同一符号を付している。
【００１９】
図２（Ａ）は、第１形ＳＲＡＭセル１０の半導体領域（拡散層）及びポリシリコン配線のパターン図であり、図２（Ｂ）は図２（Ａ）のIIＢ−IIＢ線に沿った断面図である。図３（Ａ）は、図２（Ａ）のパターンに、メタル配線第１層の配線パターンを重ね合わせたパターン図である。図３（Ｂ）は、図３（Ａ）のパターンに、メタル配線第２層の配線パターンを重ね合わせたパターン図である。図６（Ａ）は、図３（Ｂ）のレイアウトパターンに対応した回路図である。第１形ＳＲＡＭセル１０の長い辺及び短い辺に平行な方向をそれぞれ図示Ｘ方向及びＹ方向とする。
【００２０】
図２（Ａ）において、図１０との関係では、ｐＭＯＳ領域１２はｐＭＯＳ領域２に対応し、ｎＭＯＳ領域１３Ａ及び１３ＢはｎＭＯＳ領域３に対応し、素子分離領域１４Ａ及び１４Ｂは素子分離領域４に対応している。すなわち、第１形ＳＲＡＭセル１０のＸ方向について、中央部にｐＭＯＳ領域１２が配置され、一端側及び他端側にそれぞれｎＭＯＳ領域１３Ａ及び１３Ｂが配置され、ｐＭＯＳ領域１２とｎＭＯＳ領域１３Ａとの間及びｐＭＯＳ領域１２とｎＭＯＳ領域１３Ｂとの間にそれぞれ素子分離領域１４Ａ及び１４Ｂが形成されている。ｎＭＯＳ領域１３Ａ及び１３Ｂはそれぞれ、図２（Ｂ）に示す如く、ｎ型半導体基板１５のｐ型ウエル１６内及び１７内に形成されている。これに対しｐＭＯＳ領域１２は、ｎ型半導体基板１５の表面部に形成されている。フィールド酸化膜１４ａ及び１４ｂはそれぞれ、素子分離領域１４Ａ及び１４Ｂの一部である。
【００２１】
ｐＭＯＳ領域１２にはｐＭＯＳトランジスタＱＰ１とｐＭＯＳトランジスタＱＰ２とが形成され、ｎＭＯＳ領域１３ＡにはｎＭＯＳトランジスタＱＮ１とｎＭＯＳトランジスタＱＮ３とが形成され、ｎＭＯＳ領域１３ＢにはｎＭＯＳトランジスタＱＮ２とｎＭＯＳトランジスタＱＮ４とが形成されている。ｐＭＯＳトランジスタＱＰ１とｎＭＯＳトランジスタＱＮ１とでフリップフロップの一方のＣＭＯＳインバータが構成され、ｐＭＯＳトランジスタＱＰ２とｎＭＯＳトランジスタＱＮ２とでフリップフロップの他方のＣＭＯＳインバータが構成される。ｎＭＯＳトランジスタＱＮ３及びＱＮ４はいずれも転送ゲートである。
【００２２】
図２（Ａ）のパターンは、第１形ＳＲＡＭセル１０の中央点について点対称である。これにより、ＳＲＡＭ製造において、露光パターンの処理が簡単になる。同図において、符号中のｓ及びｄはそれぞれソース領域及びドレイン領域であることを示し、符号の先頭のＰ及びＮはそれぞれｐ型半導体領域及びｎ型半導体領域であることを示し、符号中の中間部の数字はトランジスタの符号中の数字と一致している。
【００２３】
ｐＭＯＳトランジスタＱＰ１は、ｐ型半導体領域Ｐ１ｓ及びＰ１ｄと、これらの間のチャンネル領域と、チャンネル領域の上方にゲート酸化膜を介して配置されたゲートとを備え、このゲートはポリシリコン配線Ｇ１０の一部である。ｐＭＯＳトランジスタＱＰ２、ｎＭＯＳトランジスタＱＮ１、ＱＮ２、ＱＮ３及びＱＮ４のゲートはそれぞれ、ポリシリコン配線Ｇ２０、Ｇ１０、Ｗ１０及びＷ２０の一部である。ｐＭＯＳトランジスタＱＰ２のｐ型半導体領域Ｐ２ｓ及びＰ２ｄはそれぞれｐＭＯＳトランジスタＱＰ１のｐ型半導体領域Ｐ１ｓ及びＰ１ｄに対応している。ｎＭＯＳトランジスタＱＮ１は、ｎ型半導体領域Ｎ１ｓ及びＮ１ｄと、これらの間のチャンネル領域と、チャンネル領域の上方にゲート酸化膜を介して配置されたゲートとを備えている。ｎＭＯＳトランジスタＱＮ２〜ＱＮ４についてもｎＭＯＳトランジスタＱＮ１と同様である。
【００２４】
ｎＭＯＳトランジスタＱＮ１とｐＭＯＳトランジスタＱＰ１とがＹ方向の一方側に配置されているので、ポリシリコン配線Ｇ１０が略直線となり、同様に、ｎＭＯＳトランジスタＱＮ２とｐＭＯＳトランジスタＱＰ２とがＹ方向他方側に配置されているので、ポリシリコン配線Ｇ２０が略直線となっている。ｎＭＯＳトランジスタＱＮ１とｎＭＯＳトランジスタＱＮ３とは、ｎ型半導体領域Ｎ１ｄが共通でＹ方向に配置され、ｎＭＯＳトランジスタＱＮ２とｎＭＯＳトランジスタＱＮ４とは、ｎ型半導体領域Ｎ２ｄが共通でＹ方向に配置されている。また、ｐＭＯＳトランジスタＱＰ１及びＱＰ２がそれぞれｐＭＯＳ領域１２のｎＭＯＳトランジスタＱＮ１側及びｎＭＯＳトランジスタＱＮ２側に配置されている。これらのことは、第１形ＳＲＡＭセル１０のＹ方向の幅を短くし且つ第１形ＳＲＡＭセル１０の占有面積を狭くするのに寄与している。
【００２５】
図３（Ａ）では、複雑化を避けるため図２（Ａ）中の符号を省略している。図３（Ａ）のパターンにおいても、図２（Ａ）と同様に第１形ＳＲＡＭセル１０の中央点について点対称である。
【００２６】
メタル配線Ｇ１１及びＧ２１は上記２つのインバータ間のクロス接続に用いられている。すなわち、ポリシリコン配線Ｇ２０の一端とｎ型半導体領域Ｎ１ｄとの間が、コンタクトホールＣａ１及びＣａ２を通ってメタル配線Ｇ２１で接続され、ポリシリコン配線Ｇ１０の一端とｎ型半導体領域Ｎ２ｄとの間が、コンタクトホールＣｂ１及びＣｂ２を通ってメタル配線Ｇ１１で接続されている。
【００２７】
電源配線については、第１形ＳＲＡＭセル１０のＸ方向中央部に電源電位供給線ＶＣＣが配置され、第１形ＳＲＡＭセル１０のＸ方向一端部及び他端部にそれぞれ基準電位供給線ＶＳＳ１１及びＶＳＳ１２が配置されている。これら電源配線ＶＣＣ、ＶＳ１１及びＶＳＳ１２はいずれもＹ方向と平行になっている。電源電位供給線ＶＣＣは、コンタクトホールＣｃ１及びＣｃ２を通ってそれぞれ下方のｐ型半導体領域Ｐ１ｓ及びＰ２ｓに接続されている。基準電位供給線ＶＳＳ１１及びＶＳＳ１２はいずれも、隣合うＳＲＡＭセルとで共用するために、その中心線が第１形ＳＲＡＭセル１０の境界線（点線）に一致している。基準電位供給線ＶＳＳ１１はコンタクトホールＣｄ１を通って下方のｎ型半導体領域Ｎ１ｓに接続され、基準電位供給線ＶＳＳ１２はコンタクトホールＣｄ２を通って下方のｎ型半導体領域Ｎ２ｓに接続されている。
【００２８】
メタル配線Ｂ１１、Ｂ２１、Ｗ１１及びＷ２１はいずれも下層と上層との間を接続するための中間的な配線である。メタル配線Ｂ１１は、コンタクトホールＣａ３を通って下方のｎ型半導体領域Ｎ３に接続され、メタル配線Ｂ２１はコンタクトホールＣｂ３を通って下方のｎ型半導体領域Ｎ４に接続され、メタル配線Ｗ１１はコンタクトホールＣｅ１を通って下方のポリシリコン配線Ｗ１０に接続され、メタル配線Ｗ２１はコンタクトホールＣｆ１を通って下方のポリシリコン配線Ｗ２０に接続されている。
【００２９】
図３（Ｂ）では、複雑化を避けるため図２（Ａ）及び図３（Ａ）中の符号を省略している。図３（Ｂ）のパターンにおいても、図３（Ａ）と同様に第１形ＳＲＡＭセル１０の中央点について点対称である。
【００３０】
電源配線の配線幅を狭くして集積度を高めるために、基準電位供給線ＶＳＳ２１及びＶＳＳ２２がそれぞれ絶縁層を介し基準電位供給線ＶＳＳ１１及びＶＳＳ１２の真上に配置されている。一対のビット線ＢＬ及び＊ＢＬはそれぞれ、基準電位供給線ＶＳＳ２１及びＶＳＳ２２でシールドしてノイズを低減するために、基準電位供給線ＶＳＳ２１及びＶＳＳ２２の近くにこれらと平行に配置されている。ビット線ＢＬは、コンタクトホールＣａ４を通って下方のメタル配線Ｂ１１に接続され、ビット線＊ＢＬは、コンタクトホールＣｂ４を通って下方のメタル配線Ｂ２１に接続されている。また、電源電位供給線ＶＣＣの両側に電源電位供給線ＶＣＣに沿ってデータ線ＤＬ及び＊ＤＬが配置され、これらは電源電位供給線ＶＣＣによりシールドされてノイズが低減されている。なお、図６及び図７ではデータ線ＤＬ及び＊ＤＬを省略している。
【００３１】
メタル配線Ｗ１２及びＷ２２はいずれも下層と上層との間を接続するための中間的な配線である。メタル配線Ｗ１２は、コンタクトホールＣｅ２を通って下方のメタル配線Ｗ１１に接続され、コンタクトホールＣｅ３を通って上方のワード線ＷＬに接続されている。ワード線ＷＬは、第３配線層であり、パターンの複雑化を避けるためにその中心線のみを示している。同様に、メタル配線Ｗ２２は、コンタクトホールＣｆ２を通って下方のメタル配線Ｗ２１に接続され、コンタクトホールＣｆ３を通って上方のワード線ＷＬに接続されている。
【００３２】
図４は第２形ＳＲＡＭセル２０のパターン図であり、このパターンは、図３（Ｂ）の第１形ＳＲＡＭセル１０のパターンをＸ方向中央線（ＷＬの中央線）について線対称にし、メタル配線Ｗ１２、Ｗ２２、Ｗ１１及びＷ２１を除去し、かつ、ポリシリコン配線Ｗ１０及びＷ２０のセル中央側端部を除去したものとなっている。この対称性により、空き領域２１及び２２が第１形ＳＲＡＭセル１０との関係で有効利用され、パターンの短縮化が図られている。
【００３３】
すなわち、第１形ＳＲＡＭセル１０と第２形ＳＲＡＭセル２０とを、セル境界である点線を一致させて、図５に示す如くビット線方向へ並置すると、図３（Ｂ）のメタル配線Ｗ２１及びＷ２２が図４の空き領域２２に配置される。空き領域２１には、図５の下方に第１形ＳＲＡＭセル１０を並置することにより、第１形ＳＲＡＭセル１０のメタル配線Ｗ１１及びＷ１２が入り込む。第２形ＳＲＡＭセル２０のポリシリコン配線Ｗ３及びＷ４は、次のようにして第２形ＳＲＡＭセル２０上のワード線ＷＬに接続される。すなわち、第２形ＳＲＡＭセル２０の長手方向両側に第２形ＳＲＡＭセル２０と隣合うように第１形ＳＲＡＭセル１０を配置する。これにより第１形ＳＲＡＭセル１０のポリシリコン配線Ｗ２０が第２形ＳＲＡＭセル２０のポリシリコン配線Ｗ３に接続され、ポリシリコン配線Ｗ３がポリシリコン配線Ｗ２０を介して第１形ＳＲＡＭセル１０のワード線ＷＬに接続される。同様に、第１形ＳＲＡＭセル１０のポリシリコン配線Ｗ１０が第２形ＳＲＡＭセル２０のＷ４に接続され、ポリシリコン配線Ｗ４がポリシリコン配線Ｗ１０を介して第１形ＳＲＡＭセル１０のワード線ＷＬに接続される。
【００３４】
このような配置及びワード線ＷＬの接続を図１（Ｃ）に示す。
【００３５】
セルアレイ３０は、第１形ＳＲＡＭセル１０と第２形ＳＲＡＭセル２０とがＸ方向及びＹ方向について互いに隣合うように境界線を一致させて格子状に配置されている。この図から、第２形ＳＲＡＭセル２０のポリシリコン配線Ｗ３及びＷ４のワード線ＷＬへの接続を容易に理解することができる。ＢＬ０〜ＢＬ３及び＊ＢＬ０〜＊ＢＬ３はビット線であり、ＷＬ０〜ＷＬ３はワード線である。
【００３６】
本実施例１によれば、図２（Ａ）に示す如くｎＭＯＳ領域１３ＡとｎＭＯＳ領域１３Ｂとの間にｐＭＯＳ領域１２が配置され、ｎＭＯＳ領域１３Ａから１３Ｂへの方向と直角な方向にビット線が配置されているので、ＳＲＡＭセル当たりのビット線長を従来よりも短くすることができ、これにより、ビット線の容量及び抵抗が低減され、半導体装置のアクセス速度が従来よりも向上する。
【００３７】
また、図１０のＳＲＡＭセルでは電源電位供給線ＶＣＣ及び基準電位供給線ＶＳＳがワード線ＷＬと平行であるので、ＳＲＡＭにおいて１つのワード線ＷＬを選択した場合に、選択されたワード線ＷＬに沿ったＳＲＡＭセルには一対の電源電位供給線ＶＣＣ及び基準電位供給線ＶＳＳから電圧が供給される。これに対し、図１（Ｃ）では、電源配線がワード線と直角な方向に沿って配置されているので、１つのワード線を選択した場合に、このワード線に沿った各ＳＲＡＭセルについて一対の電源配線から電圧が供給されるので、電源配線幅を広くしたのと同じ効果が得られ、電源電圧の変動が従来よりも低減されてノイズ耐性が向上する。
【００３８】
図８（Ａ）は、本実施例１でのＳＲＡＭセルアレイ中でのデータバスＤＢの配置を示し、図８（Ｂ）は従来のＳＲＡＭセルアレイ中でのデータバスＤＢＡの配置を示す。図８（Ａ）及び図８（Ｂ）中、点線はＳＲＡＭセルの境界を示す。
【００３９】
従来ではセルアレイブロック３０Ａの一端側でビット線をデータバスＤＢＡに接続していたが、本実施例では２つのセルアレイブロック３０毎にセルアレイブロック３０の外端部においてビット線ＢＬ及び＊ＢＬをそれぞれデータ線ＤＬ及び＊ＤＬに接続している。ビット線ＢＬ及び＊ＢＬは各ＳＲＡＭセルで転送ゲートに接続されているので負荷が比較的大きいが、データ線ＤＬ及び＊ＤＬにはこのような負荷はない。このため、データバスＤＢと直角方向のメモリセル数を従来よりも多くすることができ、これによりデータバスＤＢの長さを従来よりも短くでき、その分、データバスＤＢの専有面積を狭くすることができ、記憶容量が従来よりも増加する。図３（Ｂ）に示す如く、データ線ＤＬ及び＊ＤＬは、ｐＭＯＳ領域１２上の空き部分に配置されているので、データ線ＤＬ及び＊ＤＬによるセル面積増大は避けられる。
【００４０】
なお、本発明には外にも種々の変形例が含まれる。
【００４１】
例えば、上記実施例では、点線で示すセル外形が矩形である好ましい場合を説明したが、本発明の効果はＳＲＡＭセルの外形が矩形でなくても得られ、ＳＲＡＭセルは例えば図９（Ａ）〜（Ｃ）に示すような外形であってもよい。
【００４２】
また、コンタクトホール下部にローカルインターコネクトを用いることにより、図３（Ｂ）中のビット線ＢＬを基準電位供給線ＶＳＳ２１側のｎＭＯＳトランジスタＱＮ１及びＱＮ３上に配置して、セルのＸ方向長さを短縮することも可能である。
【００４３】
さらに、図３（Ａ）ではコンタクトホールＣａ１の位置でメタル配線Ｇ２１、ポリシリコン配線Ｇ２０及びｐ型半導体領域Ｐ１ｄの間を接続しているが、コンタクトホールＣｅ２及びＣｅ３のように、メタル配線Ｇ２１とポリシリコン配線Ｇ２０との間及びポリシリコン配線Ｇ２０とｐ型半導体領域Ｐ１ｄとの間を互いに異なる位置でコンタクトホールを通って接続することにより、配線層の凹凸を低減させて信頼性を向上させるようにしてもよい。
【００４４】
また、データ線ＤＬ及び＊ＤＬを備えない構成であってもよいことは勿論である。
【図面の簡単な説明】
【００４５】
【図１】（Ａ）は第１形ＳＲＡＭセルの概略パターン図、（Ｂ）は第２形ＳＲＡＭセルの概略パターン図、（Ｃ）は第１形及び第２形のＳＲＡＭセルが交互に配置されたセルアレイの概略パターン図である。
【図２】（Ａ）は第１形ＳＲＡＭセルの半導体領域及びポリシリコン配線のパターン図、（Ｂ）は（Ａ）中のIIＢ−IIＢ線に沿った断面図である。
【図３】（Ａ）は図２（Ａ）のパターンにメタル配線第１層の配線パターンを重ね合わせたパターン図、（Ｂ）は（Ａ）のパターンにメタル配線第２層の配線パターンを重ね合わせたパターン図である。
【図４】第２形ＳＲＡＭセルのパターン図である。
【図５】第１形ＳＲＡＭセルと第２形ＳＲＡＭセルとがビット線方向へ並置されたパターン図である。
【図６】（Ａ）は図３（Ｂ）のレイアウトパターンに対応した回路図、（Ｂ）は図４のレイアウトパターンに対応した回路図である。
【図７】図５のレイアウトパターンに対応した回路図である。
【図８】（Ａ）は本実施例１のＳＲＡＭセルアレイ中でのデータバスの配置図であり、（Ｂ）は従来のＳＲＡＭセルアレイ中でのデータバス配置図である。
【図９】（Ａ）〜（Ｃ）はＳＲＡＭセルの変形例を示すセル外形図である。
【図１０】従来のＳＲＡＭセルのパターン図である。
【図１１】（Ａ）は図１０のレイアウトパターンに対応した回路図であり、（Ｂ）は（Ａ）の接続を分かり易くした一般的な回路図である。
【符号の説明】
【００４６】
１０  第１形ＳＲＡＭセル
１２  ｐＭＯＳ領域
１３Ａ、１３Ｂ  ｎＭＯＳ領域
１４Ａ、１４Ｂ  素子分離領域
１４ａ、１４ｂ  フィールド酸化膜
１５  ｎ型半導体基板
１６、１７  ｐ型ウエル
２０  第２形ＳＲＡＭセル
３０  セルアレイブロック
ＱＰ１、ＱＰ２  ｐＭＯＳトランジスタ
ＱＮ１〜ＱＮ４  ｎＭＯＳトランジスタ
Ｐ１ｓ、Ｐ２ｓ、Ｐ１ｄ、Ｐ２ｄ  ｐ型半導体領域
Ｎ１ｓ、Ｎ１ｄ、Ｎ２ｓ、Ｎ２ｄ、Ｎ３、Ｎ４  ｎ型半導体領域
Ｇ１、Ｇ２、Ｇ１０、Ｇ２０、Ｗ１０、Ｗ２０  ポリシリコン配線
Ｓ１〜Ｓ４、Ｂ１１、Ｂ２１、Ｗ１１、Ｗ２１、Ｗ１２、Ｗ２２  メタル配線
ＢＬ、＊ＢＬ  ビット線
ＤＬ、＊ＤＬ  データ線
ＷＬ  ワード線
ＤＢ、ＤＢＡ  データバス
【図１】
2006179964.tif 000003
【図２】
2006179964.tif 000004
【図３】
2006179964.tif 000005
【図４】
2006179964.tif 000006
【図５】
2006179964.tif 000007
【図６】
2006179964.tif 000008
【図７】
2006179964.tif 000009
【図８】
2006179964.tif 000010
【図９】
2006179964.tif 000011
【図１０】
2006179964.tif 000012
【図１１】
2006179964.tif 000013